(57)【要約】【課題】現在視聴しているテレビ番組の投稿要望に対して容易に応募可能にすること。【解決手段】クライアント端末１００が、撮影手段で撮影されたテレビ番組の画面データから顔のある顔画像領域を抽出し、その顔画像領域の顔画像データをサーバ装置３００に送信し、サーバ装置３００が、クライアント端末１００から送信された顔画像領域に含まれている顔の人物に関連するテレビ番組での投稿情報を、当該テレビ番組の番組ウェブサイトから抽出し、クライアント端末１００に送信し、クライアント端末１００が、そのサーバ装置３００で抽出された投稿情報を受信して、蓄積手段に蓄積されている複数の応募選定候補ファイルから、投稿情報で指定されている投稿条件に合致する形式の応募選定対象ファイルを検索し、投稿に必要とされる記入情報をその応募選定対象ファイルから選択・決定された応募対象ファイルに入力した応募データを送信する。【選択図】図４
2013046136.tif 000002
【特許請求の範囲】
【請求項１】
撮影手段を具備するクライアント端末と、前記クライアント端末に通信可能に接続されたサーバ装置とで行うテレビ番組応募システムにおいて、
前記クライアント端末は、
前記撮影手段で撮影されたテレビ番組の画面データから顔のある顔画像領域を抽出する第１抽出手段と、
前記顔画像領域の顔画像データを前記サーバ装置に送信する第１送信手段と、
前記サーバ装置で抽出された投稿情報を受信する受信手段と、
蓄積手段に蓄積されている複数のファイルから、前記投稿情報で指定されている投稿条件に合致する形式のファイルを検索する検索手段と、
投稿に必要とされる記入情報を前記検索ファイルに入力した応募データを送信する第２送信手段と、を有し、
前記サーバ装置は、
前記顔画像領域に含まれている顔の人物に関連するテレビ番組での投稿情報を、前記テレビ番組の番組ウェブサイトから抽出し、前記クライアント端末に送信する第２抽出手段を有することを特徴とするテレビ番組応募システム。
【請求項２】
前記第２抽出手段は、
俳優の顔画像を俳優顔画像蓄積手段から取得して前記顔画像領域の顔画像と照合し、合致する顔の俳優名を抽出する手段と、
前記俳優名の俳優が出演しているテレビ番組の番組ウェブサイトを電子番組表蓄積手段から抽出する手段と、
前記テレビ番組の番組ウェブサイトから当該テレビ番組で受け付けている投稿情報を抽出する手段と、
を有することを特徴とする請求項１記載のテレビ番組応募システム。
【請求項３】
前記第２送信手段は、
前記検索ファイルを複数選択可能に表示して、選択されたファイルで応募データ用のファイルを決定する手段と、
前記記入情報をユーザ確認用に表示する手段と、
を有することを特徴とする請求項１又は２記載のテレビ番組応募システム。
【請求項４】
撮影手段を具備するクライアント端末と、前記クライアント端末に通信可能に接続されたサーバ装置とで行うテレビ番組応募方法において、
前記クライアント端末により、
前記撮影手段で撮影されたテレビ番組の画面データから顔のある顔画像領域を抽出する第１抽出ステップと、
前記顔画像領域の顔画像データを前記サーバ装置に送信する第１送信ステップと、を有し、
前記サーバ装置により、
前記顔画像領域に含まれている顔の人物に関連するテレビ番組での投稿情報を、前記テレビ番組の番組ウェブサイトから抽出し、前記クライアント端末に送信する第２抽出ステップを有し、
前記クライアント端末により、
前記サーバ装置で抽出された投稿情報を受信する受信ステップと、
蓄積手段に蓄積されている複数のファイルから、前記投稿情報で指定されている投稿条件に合致する形式のファイルを検索する検索ステップと、
投稿に必要とされる記入情報を前記検索ファイルに入力した応募データを送信する第２送信ステップと、
を有することを特徴とするテレビ番組応募方法。
【請求項５】
前記第２抽出ステップは、
俳優の顔画像を俳優顔画像蓄積手段から取得して前記顔画像領域の顔画像と照合し、合致する顔の俳優名を抽出するステップと、
前記俳優名の俳優が出演しているテレビ番組の番組ウェブサイトを電子番組表蓄積手段から抽出するステップと、
前記テレビ番組の番組ウェブサイトから当該テレビ番組で受け付けている投稿情報を抽出するステップと、
を有することを特徴とする請求項４記載のテレビ番組応募方法。
【請求項６】
前記第２送信ステップは、
前記検索ファイルを複数選択可能に表示して、選択されたファイルで応募データ用のファイルを決定するステップと、
前記記入情報をユーザ確認用に表示するステップと、
を有することを特徴とする請求項４又は５記載のテレビ番組応募方法。
【請求項７】
請求項４乃至６のいずれかに記載のテレビ番組応募方法をコンピュータに実行させることを特徴とするテレビ番組応募プログラム。
【発明の詳細な説明】
【技術分野】
【０００１】
本発明は、テレビ番組での視聴者投稿に対して自動応募する技術に関する。
【背景技術】
【０００２】
インターネットの普及に伴い、ＩＣＴ（Information and Communication Technology）リテラシが高くないユーザであっても、携帯端末やパソコンを操作することにより、ウェブサイトの閲覧やメールの送受信などができるようになっている。
【０００３】
また、携帯端末の高性能化により、撮影した静止画や動画のクオリティが高くなっていることから、デジタルカメラやデジタルビデオで撮影しなくても、番組や出演者などを識別可能なテレビ番組の画面データを取得できるようになっている。
【０００４】
しかし、その画面データを利用してテレビ番組に投稿する操作は、ＩＣＴリテラシが高くないユーザにとっては未だにハードルが高い状況にある。そこで、現在では、簡単なユーザ操作により、テレビ番組に投稿可能な応募データを自動的に生成して送信する技術を発明し、投稿できる視聴者の層を広くすることが求められている。
【０００５】
このような状況下、特許文献１によれば、ユーザの入力情報に基づいてウェブサイトから必要なデータを収集し、提示する技術が開示されている。しかしながら、ウェブサイト上の掲載情報を単に収集する技術であるため、ユーザに対して投稿する仕組みを提供することはできない。
【０００６】
また、特許文献２によれば、場所や時間、端末機種を選ぶことなく誰でも手軽に懸賞に参加できるようにし、かつ抽選に即時性を持たせると共に個人情報流出の危険性を低減するようなネットワークを使用した懸賞抽選技術が開示されている。しかしなから、現在視聴しているテレビ番組の情報を自動取得して、懸賞に参加できるような手法について開示されていないため、やはり同様に、ユーザに対して投稿する仕組みを提供することはできない。
【先行技術文献】
【特許文献】
【０００７】
【特許文献１】特開２０１１−１０３０６３号公報
【特許文献２】特開２００３−２４４３２５号公報
【発明の概要】
【発明が解決しようとする課題】
【０００８】
以上より、携帯端末の高機能化に伴って、いつでもどこでも高画質な静止画や動画を撮影できるようになっているが、撮影した静止画や動画をテレビ番組に投稿するには、封書やメールを未だに利用をするのが主であり、瞬間的に表示される投稿先の住所やメールアドレスを書き留めるのは難しい。
【０００９】
また、テレビ番組と連動したウェブサイトに掲載されている投稿フォームやバーコードなどを利用して投稿する方法も考えられるが、ＩＣＴリテラシが高くないユーザにおいては、ウェブサイトを検索して表示できない場合や、表示できたとしても、投稿フォームページが表示できない場合などが発生しないとも限らない。
【００１０】
すなわち、テレビ番組で受け付けている情報に対して投稿するには、ユーザが主体的に投稿情報について取得し、投稿することが求められているため、ＩＣＴリテラシの高くないユーザにとってはテレビ番組への投稿が難しいという課題があった。
【００１１】
本発明は、上記課題を鑑みてなされたものであり、その課題とするところは、現在視聴しているテレビ番組の投稿要望に対して容易に応募可能にすることにある。
【課題を解決するための手段】
【００１２】
請求項１記載のテレビ番組応募システムは、撮影手段を具備するクライアント端末と、前記クライアント端末に通信可能に接続されたサーバ装置とで行うテレビ番組応募システムにおいて、前記クライアント端末は、前記撮影手段で撮影されたテレビ番組の画面データから顔のある顔画像領域を抽出する第１抽出手段と、前記顔画像領域の顔画像データを前記サーバ装置に送信する第１送信手段と、前記サーバ装置で抽出された投稿情報を受信する受信手段と、蓄積手段に蓄積されている複数のファイルから、前記投稿情報で指定されている投稿条件に合致する形式のファイルを検索する検索手段と、投稿に必要とされる記入情報を前記検索ファイルに入力した応募データを送信する第２送信手段と、を有し、前記サーバ装置は、前記顔画像領域に含まれている顔の人物に関連するテレビ番組での投稿情報を、前記テレビ番組の番組ウェブサイトから抽出し、前記クライアント端末に送信する第２抽出手段を有することを特徴とする。
【００１３】
本発明によれば、クライアント端末が、撮影手段で撮影されたテレビ番組の画面データから顔のある顔画像領域を抽出し、その顔画像領域の顔画像データをサーバ装置に送信し、そのサーバ装置で抽出された投稿情報を受信して、蓄積手段に蓄積されている複数のファイルから、投稿情報で指定されている投稿条件に合致する形式のファイルを検索し、投稿に必要とされる記入情報を検索ファイルに入力した応募データを送信し、サーバ装置が、クライアント端末から送信された顔画像領域に含まれている顔の人物に関連するテレビ番組での投稿情報を、当該テレビ番組の番組ウェブサイトから抽出し、クライアント端末に送信するため、現在視聴しているテレビ番組の投稿要望に対して容易に応募可能にすることができる。
【００１４】
請求項２記載のテレビ番組応募システムは、請求項１記載のテレビ番組応募システムにおいて、前記第２抽出手段は、俳優の顔画像を俳優顔画像蓄積手段から取得して前記顔画像領域の顔画像と照合し、合致する顔の俳優名を抽出する手段と、前記俳優名の俳優が出演しているテレビ番組の番組ウェブサイトを電子番組表蓄積手段から抽出する手段と、前記テレビ番組の番組ウェブサイトから当該テレビ番組で受け付けている投稿情報を抽出する手段と、を有することを特徴とする。
【００１５】
請求項３記載のテレビ番組応募システムは、請求項１又は２記載のテレビ番組応募システムにおいて、前記第２送信手段は、前記検索ファイルを複数選択可能に表示して、選択されたファイルで応募データ用のファイルを決定する手段と、前記記入情報をユーザ確認用に表示する手段と、を有することを特徴とする。
【００１６】
請求項４記載のテレビ番組応募方法は、撮影手段を具備するクライアント端末と、前記クライアント端末に通信可能に接続されたサーバ装置とで行うテレビ番組応募方法において、前記クライアント端末により、前記撮影手段で撮影されたテレビ番組の画面データから顔のある顔画像領域を抽出する第１抽出ステップと、前記顔画像領域の顔画像データを前記サーバ装置に送信する第１送信ステップと、を有し、前記サーバ装置により、前記顔画像領域に含まれている顔の人物に関連するテレビ番組での投稿情報を、前記テレビ番組の番組ウェブサイトから抽出し、前記クライアント端末に送信する第２抽出ステップを有し、前記クライアント端末により、前記サーバ装置で抽出された投稿情報を受信する受信ステップと、蓄積手段に蓄積されている複数のファイルから、前記投稿情報で指定されている投稿条件に合致する形式のファイルを検索する検索ステップと、投稿に必要とされる記入情報を前記検索ファイルに入力した応募データを送信する第２送信ステップと、を有することを特徴とする。
【００１７】
本発明によれば、クライアント端末が、撮影手段で撮影されたテレビ番組の画面データから顔のある顔画像領域を抽出し、その顔画像領域の顔画像データをサーバ装置に送信し、サーバ装置が、クライアント端末から送信された顔画像領域に含まれている顔の人物に関連するテレビ番組での投稿情報を、当該テレビ番組の番組ウェブサイトから抽出し、クライアント端末に送信し、クライアント端末が、そのサーバ装置で抽出された投稿情報を受信して、蓄積手段に蓄積されている複数のファイルから、投稿情報で指定されている投稿条件に合致する形式のファイルを検索し、投稿に必要とされる記入情報を検索ファイルに入力した応募データを送信するため、現在視聴しているテレビ番組の投稿要望に対して容易に応募可能にすることができる。
【００１８】
請求項５記載のテレビ番組応募方法は、請求項４記載のテレビ番組応募方法において、前記第２抽出ステップは、俳優の顔画像を俳優顔画像蓄積手段から取得して前記顔画像領域の顔画像と照合し、合致する顔の俳優名を抽出するステップと、前記俳優名の俳優が出演しているテレビ番組の番組ウェブサイトを電子番組表蓄積手段から抽出するステップと、前記テレビ番組の番組ウェブサイトから当該テレビ番組で受け付けている投稿情報を抽出するステップと、を有することを特徴とする。
【００１９】
請求項６記載のテレビ番組応募方法は、請求項４又は５記載のテレビ番組応募方法において、前記第２送信ステップは、前記検索ファイルを複数選択可能に表示して、選択されたファイルで応募データ用のファイルを決定するステップと、前記記入情報をユーザ確認用に表示するステップと、を有することを特徴とする。
【００２０】
請求項７記載のテレビ番組応募プログラムは、請求項４乃至６のいずれかに記載のテレビ番組応募方法をコンピュータに実行させることを特徴とする。
【発明の効果】
【００２１】
本発明によれば、現在視聴しているテレビ番組の投稿要望に対して容易に応募可能にすることができる。
【図面の簡単な説明】
【００２２】
【図１】テレビ番組応募システムの全体構成を示す図である。
【図２】テレビ番組投稿内容抽出部の機能ブロック構成を示す図である。
【図３】応募データ送信部の機能ブロック構成を示す図である。
【図４】テレビ番組応募システムの処理フローを示す図である。
【発明を実施するための形態】
【００２３】
以下、本発明を実施する一実施の形態について図面を用いて説明する。但し、本発明は多くの異なる様態で実施することが可能であり、本実施の形態の記載内容に限定して解釈すべきではない。
【００２４】
図１は、本実施の形態に係るテレビ番組応募システムの全体構成を示す図である。このテレビ番組応募システム１は、通信ネットワーク５００を介して相互にデータ送受信可能に接続されたクライアント端末１００およびサーバ装置３００で主に構成される。
【００２５】
クライアント端末１００は、自機に具備された撮影手段で撮影されたテレビ番組の画面データから顔のある顔画像領域を抽出する顔領域画像抽出部１１と、抽出された顔画像領域の顔画像データをサーバ装置３００に送信する顔領域画像送信部１２と、サーバ装置３００で抽出された投稿情報（後述）を受信する投稿情報受信部１３と、ファイル蓄積部１６に蓄積されている複数のファイル（応募選定候補ファイル）から、受信した投稿情報で指定されている投稿条件に合致する形式のファイル（応募選定対象ファイル）を検索する応募データ検索部１４と、投稿に必要とされる記入情報を当該検索された検索ファイル（複数の応募選定対象ファイルから選択・決定された応募対象ファイル）に入力した応募データを送信する応募データ送信部１５とで主に構成されている。
【００２６】
サーバ装置３００は、クライアント端末１００から送信された顔画像データの顔画像領域に含まれている顔の人物に関連するテレビ番組での投稿情報を、そのテレビ番組の番組ウェブサイトから抽出し、上記クライアント端末１００に送信するテレビ番組投稿内容抽出部２１で主に構成されている。
【００２７】
上記クライアント端末１００としては、例えば、放送されている番組プログラムのデータを受信して画面に表示する機能や、その画面に表示されているテレビ番組の映像・画像のスナップショットを撮影する機能を具備する携帯電話やパソコンなどを利用して実現することができる。
【００２８】
また、上記サーバ装置３００としては、汎用的なパソコン、処理能力や処理性能の高いワークステーションなどを利用して実現することができる。
【００２９】
なお、ファイル蓄積部１６は、メモリなどの記憶手段で実現可能であり、その他の各機能部は、ＣＰＵなどの制御手段で実現可能である。それら全ての各機能部の各処理は、その処理を実行可能にプログラミングされたプログラムにより実現される。
【００３０】
次に、図２を参照しながら、サーバ装置３００を構成しているテレビ番組投稿内容抽出部２１の具体的機能構成について説明する。このテレビ番組投稿内容抽出部２１は、顔画像照合部２１ａと、テレビ番組情報抽出部２１ｂと、投稿情報抽出部２１ｃと、投稿情報送信部２１ｄと、俳優顔画像データベース２１ｅと、電子番組表データベース２１ｆとで主に構成されている。
【００３１】
顔画像照合部２１ａは、俳優の顔画像を俳優顔画像データベース２１ｅから取得して、クライアント端末１００から送信された顔画像データの顔画像領域の顔画像と照合し、合致する顔の俳優名を抽出する機能を有している。
【００３２】
テレビ番組情報抽出部２１ｂは、抽出された俳優名の俳優が出演しているテレビ番組の番組ウェブサイトを電子番組表データベース２１ｆから抽出する機能を有している。
【００３３】
投稿情報抽出部２１ｃは、抽出されたテレビ番組の番組ウェブサイト７００から、そのテレビ番組で受け付けている投稿情報を抽出する機能を有している。
【００３４】
投稿情報送信部２１ｄは、抽出された投稿情報をクライアント端末１００に送信する機能を有している。
【００３５】
俳優顔画像データベース２１ｅは、俳優の顔を撮影した俳優顔画像を、その俳優の名前に関連付けてデータベース化しておく機能を有している。
【００３６】
電子番組表データベース２１ｆは、現在放送されている、及び将来放送される番組プログラムの番組名やその番組のウェブサイト情報、その番組プログラムで出演している出演者名簿などを関連付けデータベース化しておく機能を有している。
【００３７】
なお、俳優顔画像や電子番組表は、インターネット上に蓄積されているデータを利用してもよい。
【００３８】
次に、図３を参照しながら、クライアント端末１００を構成している応募データ送信部１５の具体的構成について説明する。この応募データ送信部１５は、応募データ選定部１５ａと、応募データ送信内容表示部１５ｂとで主に構成されている。
【００３９】
応募データ選定部１５ａは、応募データ検索部１４で検索された応募選定対象ファイルを複数選択可能に表示して、その中からユーザにより選択されたファイルで応募データ用の応募対象ファイルを決定する機能を有している。
【００４０】
応募データ送信内容表示部１５ｂは、投稿に必要とされる記入情報をユーザ確認用に表示する機能を有している。
【００４１】
以上がテレビ番組応募システム１の有する機能構成である。引き続き、図４を参照しながら、このテレビ番組応募システム１の処理フローについて説明する。
【００４２】
最初に、ステップＳ１において、クライアント端末１００により、現在視聴しているテレビ番組の画面データが取得される。
【００４３】
次に、ステップＳ２において、クライアント端末１００に実行可能にインストールされている画像処理プログラムを用いて、そのテレビ番組に出演している顔画像領域が画面データから抽出される。
【００４４】
次に、ステップＳ３において、通信ネットワーク５００を介して、ステップＳ２で抽出された顔画像領域の顔画像データが、テレビ番組投稿内容抽出部２１を具備しているサーバ装置３００に送信される。
【００４５】
次に、ステップＳ４において、サーバ装置３００により、クライアント端末１００から送信された顔画像データが受信され、俳優顔画像データベース２１ｅに蓄積されている俳優の顔画像と照合されて、合致する顔画像が存在した場合、その顔画像の俳優名が取得される。
【００４６】
次に、ステップＳ５において、ステップＳ４で取得した俳優名を、電子番組表データベース２１ｆに蓄積されている電子番組表に含まれる出演者名簿などで照合し、名前の合致した俳優が出演しているテレビ番組に関する情報（番組名、番組ウェブサイト情報など）が取得される。
【００４７】
次に、ステップＳ６において、ステップＳ５で取得した番組ウェブサイト情報に基づいてインターネットからその番組ウェブサイトが探索され、「投稿」・「応募」などのキーワードを用いてその番組ウェブサイト内で投稿情報が記載されているウェブページが探索されて、そのテレビ番組への投稿に必要な投稿情報（募集内容、投稿宛て先、投稿ファイル形式、募集規約など）が取得される。
【００４８】
次に、ステップＳ７において、ステップＳ６で取得した投稿情報がクライアント端末１００に提供される。
【００４９】
次に、ステップＳ８において、クライアント端末１００により、ステップＳ３で送信した顔画像データに対するサーバ装置３００から応答として、投稿情報が受信される。
【００５０】
次に、ステップＳ９において、提供された投稿情報のデータをもとに、クライアント端末内に、そのテレビ番組に対して投稿できるファイルがあるかどうかが検索される。具体的には、その投稿情報に含まれている投稿ファイル形式を用いて、テレビ番組に投稿できるファイル形式と一致する形式のファイルデータの有無が判定され、ファイル蓄積部１６から検索される。
【００５１】
次に、ステップＳ１０において、ステップＳ９で投稿可能なファイルデータが存在する場合、その検索された全ての応募選定対象ファイルが選択可能に画面に表示され、ユーザにより、ファイル内容が確認されながら、投稿するか否かが決定される。具体的には、複数の応募選定対象ファイルのうち、投稿しようとする応募対象ファイルが選択され、決定ボタンが押し下げられる。
【００５２】
次に、ステップＳ１１において、ユーザに送信内容を確認させる目的で、投稿に必要な記入情報（投稿宛て先、投稿ファイル、ユーザ情報、ユーザ情報、応募賞金受け取り情報など）が画面に表示される。なお、この記入情報は、投稿情報に含まれている各種情報であり、クライアント端末１００に事前登録されているユーザ固有の識別情報である。
【００５３】
最後に、ステップＳ１２において、ステップＳ１１で表示された内容が確認され、送信決定されると、ステップＳ１０で選択・決定した応募対象ファイルに、ステップＳ１１で確認された記入情報が入力された応募データが、投稿情報内に提示されていた投稿宛て先に送信される。以上、テレビ番組への投稿が完了する。
【００５４】
以上より、ユーザが携帯端末やパソコンを用いてテレビ画面を撮影するだけで、現在視聴しているテレビ番組の投稿情報を取得することができ、その投稿条件に合致するコンテンツを携帯端末やパソコンからを検索して、合致するコンテンツがあれば、ユーザに対して投稿に必要な情報を表示する画面を表示し、送信することができる。
【００５５】
これにより、ＩＣＴリテラシが高くないユーザでも、現在視聴しているテレビ番組が募集している投稿情報を取得し、コンテンツを送信することが可能となる。そして、その結果として、投稿ユーザ層の幅を広げ、最終的には視聴者数の増加につながることになる。
【００５６】
従って、本実施の形態によれば、クライアント端末１００が、撮影手段で撮影されたテレビ番組の画面データから顔のある顔画像領域を抽出し、その顔画像領域の顔画像データをサーバ装置３００に送信し、サーバ装置３００が、クライアント端末１００から送信された顔画像領域に含まれている顔の人物に関連するテレビ番組での投稿情報を、当該テレビ番組の番組ウェブサイトから抽出し、クライアント端末１００に送信し、クライアント端末１００が、そのサーバ装置３００で抽出された投稿情報を受信して、蓄積手段に蓄積されている複数の応募選定候補ファイルから、投稿情報で指定されている投稿条件に合致する形式の応募選定対象ファイルを検索し、投稿に必要とされる記入情報をその応募選定対象ファイルから選択・決定された応募対象ファイルに入力した応募データを送信するので、現在視聴しているテレビ番組の投稿要望に対して容易に応募可能にすることができる。
【００５７】
最後に、サーバ装置３００が保持するテレビ番組投稿内容抽出部２１の機能をクライアント端末１００に具備させて、テレビ番組応募システムのシステム構成全てを１台のクライアント端末１００で実現するようにしてもよい。
【符号の説明】
【００５８】
１…テレビ番組応募システム
１００…クライアント端末
１１…顔領域画像抽出部
１２…顔領域画像送信部
１３…投稿情報受信部
１４…応募データ検索部
１５…応募データ送信部
１５ａ…応募データ選択部
１５ｂ…応募データ送信内容表示部
１６…ファイル蓄積部
３００…サーバ装置
２１…テレビ番組投稿抽出部
２１ａ…顔画像照合部
２１ｂ…テレビ番組情報抽出部
２１ｃ…投稿情報抽出部
２１ｄ…投稿情報送信部
２１ｅ…俳優顔画像データベース
２１ｆ…電子番組表データベース
Ｓ１〜Ｓ１２…処理ステップ
【図１】
2013046136.tif 000003
【図２】
2013046136.tif 000004
【図３】
2013046136.tif 000005
【図４】
2013046136.tif 000006